(57)【要約】【課題】好適な運搬および移載が可能になると共に、各種作業時において障害とならない吊具付き印刷機を提供することを課題とする。【解決手段】フレーム９を有する印刷機本体５と、フレーム９に取り付けられ、印刷機本体５の搬送時にフレーム９の外側へ突出する突出位置と、印刷機本体５の設置後にフレーム９の内側へ収容される収容位置と、の間で移動可能な吊具７と、を備えたことを特徴とする。この場合、吊具７は、二分割された一対の分割吊部材１２で構成され、一対の分割吊部材１２は、その一方の分割吊部材１２が印刷機本体５の上面の一方の端部に配設され、その他方の分割吊部材１２が印刷機本体５の上面の他方の端部に配設されている。【選択図】図１
2010214637.tif 000002
【特許請求の範囲】
【請求項１】
フレームを有する印刷機と、
前記フレームに取り付けられ、前記印刷機の搬送時に前記フレームの外側へ突出する突出位置と、前記印刷機の設置後に前記フレームの内側へ収容される収容位置と、の間で移動可能な吊具と、を備えたことを特徴とする吊具付き印刷機。
【請求項２】
前記吊具は、前記印刷機の上面に配置されていることを特徴とする請求項１に記載の吊具付き印刷機。
【請求項３】
前記吊具は、二分割された一対の分割吊部材で構成され、
前記一対の分割吊部材は、その一方の分割吊部材が前記印刷機の上面の一方の端部に配設され、その他方の分割吊部材が前記印刷機の上面の他方の端部に配設されていることを特徴とする請求項２に記載の吊具付き印刷機。
【請求項４】
前記突出位置において、前記各分割吊部材の前記フレーム外側への突出部分の長さは、前記フレーム内側への残存部分の長さに比して短くなっていることを特徴とする請求項３に記載の吊具付き印刷機。
【請求項５】
前記収容位置において、前記一対の分割吊部材の間に間隙が生ずる場合、この間隙を埋める化粧部材をさらに備えたことを特徴とする請求項３または４に記載の吊具付き印刷機。
【請求項６】
前記吊具は、前記突出位置において前記フレームの外側へ突出した突出部分の端部が、Ｒ形状に形成されていることを特徴とする請求項１ないし５のいずれか１項に記載の吊具付き印刷機。
【請求項７】
前記吊具は、前記突出位置において前記フレームの外側へ突出した突出部分が、ワイヤを係止する係止部となっていることを特徴とする請求項１ないし６のいずれか１項に記載の吊具付き印刷機。
【請求項８】
前記吊具には、穿孔加工を禁止させる旨の警告マークが視認可能にマーキングされていることを特徴とする請求項１ないし７のいずれか１項に記載の吊具付き印刷機。
【請求項９】
前記吊具には、各種部品を固定するための固定穴が形成されていることを特徴とする請求項１ないし８のいずれか１項に記載の吊具付き印刷機。
【請求項１０】
前記印刷機のベッド部には、水準器を設置するための設置面が形成されていることを特徴とする請求項１ないし９のいずれか１項に記載の吊具付き印刷機。
【発明の詳細な説明】
【技術分野】
【０００１】
本発明は、ワイヤに吊り下げられて移載される吊具付き印刷機に関するものである。
【背景技術】
【０００２】
従来、パイプ等の長尺材を吊り上げて移動させるための長尺材吊具が知られている（例えば、特許文献１参照）。この長尺材吊具は、長尺材の長さに応じて、長手方向における長さを伸縮可能としており、これにより、様々な長さの長尺材を吊り上げることができる。
【先行技術文献】
【特許文献】
【０００３】
【特許文献１】特開２００１−２４０３６０号公報
【発明の概要】
【発明が解決しようとする課題】
【０００４】
ところで、従来の長尺材吊具は、吊上げ対象物として長尺材を吊り上げているが、吊上げ対象物として印刷機を吊り上げる印刷機吊具がある。図１１に示すように、この印刷機吊具１０１は、印刷機１００の移載時において２本使用され、２本の印刷機吊具１０１は、印刷機１００の上面に対し平行に配置されて固定される。この印刷機吊具１０１は、印刷機１００の移載時において、ワイヤに吊り上げられる吊具として機能することはもちろん、印刷機１００の運搬時において、印刷機１００を荷台に固定するための固定治具としても機能する。
【０００５】
印刷機吊具１０１を固定治具と使用する場合、印刷機吊具１０１と荷台の底部との間はワイヤにより連結される。このとき、印刷機１００がワイヤの接触等で傷がつかないように、印刷機吊具１０１の両端部は、印刷機１００の幅に対し、外側へ突出させて印刷機１００の上面に固定される。
【０００６】
ここで、印刷機１００の運搬および移載が終了すると、印刷機吊具１０１は、印刷機１００の幅に対し外側へ突出しているため、このままの状態であると各種作業時において障害となってしまうことから、取り外す必要がある。このとき、取り外された印刷機吊具１０１は再利用することとなるが、この場合、印刷機吊具１０１の管理やメンテナンスをしなければならず、管理コストが増大していた。
【０００７】
そこで、本発明は、好適な運搬および移載が可能になると共に、各種作業時において障害とならない吊具付き印刷機を提供することを課題とする。
【課題を解決するための手段】
【０００８】
本発明の吊具付き印刷機は、フレームを有する印刷機と、フレームに取り付けられ、印刷機の搬送時にフレームの外側へ突出する突出位置と、印刷機の設置後にフレームの内側へ収容される収容位置と、の間で移動可能な吊具と、を備えたことを特徴とする。
【０００９】
この構成によれば、吊具付き印刷機の搬送時において、吊具を突出位置へ移動させることで、吊具付き印刷機を好適に搬送することができる。一方、吊具付き印刷機の設置後において、吊具を収容位置へ移動させることで、吊具が各種作業の障害となることがない。
【００１０】
この場合、吊具は、印刷機の上面に配置されていることが、好ましい。
【００１１】
この構成によれば、印刷機の搬送、すなわち、印刷機の運搬と移載とを好適に行うことができる。
【００１２】
この場合、吊具は、二分割された一対の分割吊部材で構成され、一対の分割吊部材は、その一方の分割吊部材が印刷機の上面の一方の端部に配設され、その他方の分割吊部材が印刷機の上面の他方の端部に配設されていることが、好ましい。
【００１３】
この構成によれば、吊具を分割化して２つの分割吊部材とすることにより、各分割吊部材は、分割しない吊具に比べて、その重量を軽くすることができる。これにより、一対の分割吊部材を容易に取り扱うことができる。
【００１４】
この場合、突出位置において、各分割吊部材のフレーム外側への突出部分の長さは、フレーム内側への残存部分の長さに比して短くなっていることが、好ましい。
【００１５】
この構成によれば、印刷機から各分割吊部材が取り外された場合において、各分割吊部材の落下を抑制することができる。
【００１６】
この場合、収容位置において、一対の分割吊部材の間に間隙が生ずる場合、この間隙を埋める化粧部材をさらに備えたことが、好ましい。
【００１７】
この構成によれば、吊具付き印刷機の見栄えを良いものとすることができる。
【００１８】
この場合、吊具は、突出位置においてフレームの外側へ突出した突出部分の端部が、Ｒ形状に形成されていることが、好ましい。
【００１９】
この構成によれば、ワイヤと吊具とを連結する連結治具の可動を許容することができる。
【００２０】
この場合、吊具は、突出位置においてフレームの外側へ突出した突出部分が、ワイヤを係止する係止部となっていることが、好ましい。
【００２１】
この構成によれば、印刷機の運搬時において印刷機を荷台に固定する場合、印刷機にキズ等がついてしまうことを抑制することができる。
【００２２】
この場合、吊具には、穿孔加工を禁止させる旨の警告マークが視認可能にマーキングされていることが、好ましい。
【００２３】
この構成によれば、穿孔加工による吊具の強度の低下を抑制することができる。
【００２４】
この場合、吊具には、各種部品を固定するための固定穴が形成されていることが、好ましい。
【００２５】
この構成によれば、収容位置に移動した吊具に対し、各種部品等を固定することができ、吊具の汎用性を高めることができる。
【００２６】
この場合、印刷機のベッド部には、水準器を設置するための設置面が形成されていることが、好ましい。
【００２７】
この構成によれば、設置面に水準器を設置して、印刷機の水平をとることができるため、印刷機を好適に設置することができる。
【発明の効果】
【００２８】
本発明の吊具付き印刷機によれば、好適な運搬および移載が可能となり、各種作業を好適に行うことができる。
【図面の簡単な説明】
【００２９】
【図１】図１は、運搬および移載時の実施例１に係る吊具付き印刷機を表した概略側面図である。
【図２】図２は、運搬および移載時の実施例１に係る吊具付き印刷機を表した概略平面図である。
【図３】図３は、設置終了時の実施例１に係る吊具付き印刷機の上部を表した正面破断図である。
【図４】図４は、実施例１の変形例１に係る吊具付き印刷機の上部を表した正面破断図である。
【図５】図５は、実施例１の変形例２に係る吊具付き印刷機の上部を表した正面破断図である。
【図６】図６は、実施例１の変形例３に係る吊具付き印刷機の上部を表した側面破断図である。
【図７】図７は、実施例１の変形例４に係る吊具付き印刷機の上部を表した側面破断図である。
【図８】図８は、実施例１の変形例５に係る吊具付き印刷機の上部を表した側面破断図である。
【図９】図９は、実施例２に係る吊具付き印刷機の上部を表した側面破断図である。
【図１０】図１０は、実施例３に係る吊具付き印刷機の上部を表した側面破断図である。
【図１１】図１１は、従来の印刷機吊具を表した外観斜視図である。
【発明を実施するための形態】
【００３０】
以下、添付した図面を参照して、本発明に係る吊具付き印刷機について説明する。なお、以下の実施例によりこの発明が限定されるものではない。また、下記実施例における構成要素には、当業者が置換可能かつ容易なもの、或いは実質的に同一のものが含まれる。
【実施例１】
【００３１】
図１に示すように、実施例１における吊具付き印刷機１は、いわゆる商業用オフセット輪転印刷機であり、印刷機本体５と、印刷機本体５の底部に設けられたベッド部６と、印刷機本体５を上部に設けられた吊具７とから構成されている。
【００３２】
図１および図２に示すように、印刷機本体５は、図示しない給紙装置から供給されるウェブに印刷を行っており、図示左側が給紙側となっており、図示右側が排紙側となっている。印刷機本体５の外郭は、フレーム９によって箱型に形成されている。具体的に、フレーム９は、印刷機本体５の両側に配置された一対の鉛直フレーム１０ａ，１０ｂを有しており、一対の鉛直フレーム１０ａ，１０ｂは、その間に架け渡された図示しない複数の水平フレームにより連結されている。
【００３３】
図２に示すように、一対の鉛直フレーム１０ａ，１０ｂは、その一方が駆動側に配置され、その他方が操作側に配置されており、駆動側に配置された鉛直フレーム１０ａは断面凹状に形成され、操作側に配置された鉛直フレーム１０ｂは断面方形状に形成されている。
【００３４】
ベッド部６は、印刷機本体５の底部に設けられ、印刷機本体５を支えている。ベッド部６は、印刷機本体５の給紙側から排紙側に至る奥行きに対し、その両側へ突出させて形成されている。このとき、ベッド部６の両側の突出部分には、水準器を設置するための設置面１１がそれぞれ加工されており、各設置面１１に水準器を設置することにより、印刷機本体５の高さレベルを調整して芯出しを行うことができる。
【００３５】
吊具７は、印刷機本体５の上部に設けられ、印刷機本体５の吊り上げを可能にしている。吊具７は、二分割された一対の分割吊部材１２が２組設けられており、一対の分割吊部材１２は、その長手方向が奥行き方向となるように配設され、また、２組一対の分割吊部材１２は、駆動側から操作側に至る幅方向に並べて平行に配設されている。
【００３６】
２組一対の分割吊部材１２のうち、一方の組の一対の分割吊部材１２は、駆動側の鉛直フレーム１０ａの上部に取り付けられ、他方の組の一対の分割吊部材１２は、操作側の鉛直フレーム１０ｂの上部に取り付けられている。
【００３７】
また、一対の分割吊部材１２は、その一方が印刷機本体５の給紙側の上部に取り付けられ、その他方が印刷機本体５の排紙側の上部に取り付けられている。そして、この一対の分割吊部材１２は、吊具付き印刷機１の搬送時（運搬および移載時）において、図１に示すように、奥行き方向における印刷機本体５の外側に、その一方の端部を突出させた状態で取り付けられる。一方、一対の分割吊部材１２は、吊具付き印刷機１の設置後において、図３に示すように、奥行き方向における印刷機本体５の内側に、その一方の端部を収容した状態で取り付けられる。つまり、一対の分割吊部材１２は、吊具付き印刷機１の搬送時において、一方の端部を突出する突出位置に移動させる一方、吊具付き印刷機１の設置後において、一方の端部を収容する収容位置に移動させる。なお、収容位置に移動した一対の分割吊部材１２の長さは、印刷機本体５の奥行きの長さと同長となるため、一対の分割吊部材１２を見栄えよく収容することができる。
【００３８】
次に、各分割吊部材１２について具体的に説明する。各分割吊部材１２は、方形板状に形成されており、四角のうちの一角がＲ形状となっている。そして、各分割吊部材１２は、このＲ形状となった角部を上にして、印刷機本体５の外側に突出するように取り付けられる。各分割吊部材１２の突出側端部（外側端部）には、板厚方向に貫通する第１貫通孔１４が形成され、また、各分割吊部材１２の中央部には、板厚方向に貫通する第２貫通孔１５が形成されている。そして、この各分割吊部材１２は、突出位置または収容位置にボルト止めされることで、印刷機本体５のフレーム９に固定される。なお、収容位置に取り付けられた各分割吊部材１２は、印刷機本体５外側への突出部分の長さが、印刷機本体５内側への残存部分の長さに比して短く形成されている。
【００３９】
また、各分割吊部材１２には、穿孔加工を禁止させる旨の警告マークが視認可能にマーキングされており、穿孔加工による各分割吊部材１２の強度の低下を抑制している。さらに、各分割吊部材１２の上部には、各種部品を固定するための固定穴１７が形成されている。
【００４０】
ここで、吊具付き印刷機１の搬送および設置に係る一連の動作について説明する。製造された吊具付き印刷機１は、製造元から輸送車の荷台に載せて納入先へ移載される。先ず、製造元において、吊具付き印刷機１は、２組一対の分割吊部材１２が突出位置に取り付けられており、輸送車の荷台に載置するために、クレーンによりワイヤを介して吊り上げられる。このとき、ワイヤと吊具付き印刷機１とを連結する連結治具は、第２貫通孔１５に装着される。輸送車の荷台に吊具付き印刷機１が載置されると、吊具付き印刷機１を荷台に固定すべく、連結治具を第１貫通孔１４に装着し直し、吊具７と荷台とをワイヤにより連結して固定する。そして、納入先において、輸送車の荷台から吊具付き印刷機１を降ろすべく、連結治具を第２貫通孔１５に装着直し、クレーンにより吊具付き印刷機１を吊り上げ、吊具付き印刷機１を設置場所へ設置する。設置後、吊具付き印刷機１は、その各分割吊部材１２のボルト止めを解除し、各分割吊部材１２を収納位置に移動させてボルト止めする。
【００４１】
以上の構成によれば、吊具付き印刷機１の搬送時において、各分割吊部材１２を突出位置へ移動させることで、吊具付き印刷機１を好適に搬送することができ、吊具付き印刷機１の設置後において、各分割吊部材１２を収容位置へ移動させることで、各分割吊部材１２が各種作業の障害となることがない。
【００４２】
また、吊具７を分割化して２つの分割吊部材１２とすることにより、各分割吊部材１２を軽くすることができるため、各分割吊部材１２を容易に取り扱うことができる。さらに、収容位置に取り付けられた各分割吊部材１２は、印刷機本体５外側への突出部分の長さが、印刷機本体５内側への残存部分の長さに比して短く形成されているため、印刷機本体５から各分割吊部材１２が取り外された場合に、各分割吊部材１２の落下を抑制することができる。
【００４３】
また、各分割吊部材１２の一角をＲ形状とすることにより、連結治具の可動を許容することができ、各分割吊部材１２の上部に固定穴１７を形成することにより、警告ランプ等の各種部品を固定することができる。
【００４４】
次に、図４を参照して、変形例１に係る吊具付き印刷機３０について説明する。変形例１の吊具付き印刷機３０において、各分割吊部材１２の取付面の鉛直フレーム１０ａ，１０ｂには、奥行き方向に延在する凹溝３１が形成されている。そして、各分割吊部材１２は、この凹溝３１とスライド自在に係合している。この構成によれば、凹溝３１が各分割吊部材１２のガイドとなるため、突出位置と収容位置との間での各分割吊部材１２の移動を好適に行うことができる。
【００４５】
次に、図５を参照して、変形例２に係る吊具付き印刷機４０について説明する。変形例２の吊具付き印刷機４０において、各分割吊部材４２の取付面の鉛直フレーム１０ａ，１０ｂには、奥行き方向に延在するアリ溝４１が形成されている。そして、各分割吊部材４２は、このアリ溝４１に係合すべく、取付側が相補的形状に形成されている。この構成によれば、アリ溝４１が各分割吊部材４２のガイドとなるため、突出位置と収容位置との間での各分割吊部材４２の移動を好適に行うことができ、また、各分割吊部材４２のアリ溝４１からの逸脱を抑制することができる。
【００４６】
次に、図６を参照して、変形例３に係る吊具付き印刷機５０について説明する。変形例３の吊具付き印刷機５０において、印刷機本体５の奥行きが長く形成されており、これにより、収容位置に移動した一対の分割吊部材１２の間には間隙が生じている。このため、吊具付き印刷機５０には、この間隙を埋める方形板状の化粧ピース５１が設けられており、これにより、吊具付き印刷機５０の見栄えをよくすることができる。
【００４７】
次に、図７を参照して、変形例４に係る吊具付き印刷機６０について説明する。変形例４の吊具付き印刷機６０において、各分割吊部材６１の突出側端部は、第１貫通孔１４に代えて、逆Ｕ字状に没入形成された係止部６２が形成されている。これにより、連結治具を使用することなく、ワイヤを引っ掛けて吊り上げることができる。
【００４８】
次に、図８を参照して、変形例５に係る吊具付き印刷機７０について説明する。変形例５の吊具付き印刷機７０において、各分割吊部材７１の突出側端部は、第１貫通孔１４に代えて、上部と下部とを切欠いて形成された係止部７２が形成されている。この構成においても、連結治具を使用することなく、ワイヤを引っ掛けて吊り上げることができる。
【実施例２】
【００４９】
次に、図９を参照して、実施例２に係る吊具付き印刷機８０について説明する。なお、重複した記載を避けるべく異なる部分についてのみ説明する。実施例２の吊具付き印刷機８０の各分割吊部材８１は、その一部が上下に旋回可能な構成となっている。以下、各分割吊部材８１について、具体的に説明する。
【００５０】
各分割吊部材８１は、印刷機本体５内側に設けられると共に鉛直フレーム１０ａ，１０ｂの上面に取り付けられた残存部材８３と、印刷機本体５外側へ突出させて設けられた突出部材８２と、残存部材８３に対し突出部材８２を旋回可能に連結するヒンジ８４と、残存部材８３に対し突出部材８２を係止する係止ピン８５と、で構成されている。
【００５１】
残存部材８３は、方形板状に構成され、鉛直フレーム１０ａ，１０ｂの上面に固定されている。突出部材８２は、方形板状に構成され、外側上方の角部がＲ形状となっており、板厚方向に貫通する貫通孔８６が形成されている。ヒンジ８４は、残存部材８３の外側上方端部に設けられ、突出部材８２を残存部材８３の外側に位置させる突出位置と、突出部材８２を残存部材８３の上方に位置させる収容位置と、の間で突出部材８２を旋回可能に構成している。係止ピン８５は、突出位置に移動した突出部材８２を残存部材８３に係止しており、突出部材８２と残存部材８３とのオーバーラップ部分において、係止ピン８５を板厚方向に挿通させることで、突出部材８２を残存部材８３に係止することができる。
【００５２】
この構成においても、吊具付き印刷機８０の搬送時において、各分割吊部材８１の突出部材８２を突出位置へ移動させることで、吊具付き印刷機８０を好適に搬送することができ、吊具付き印刷機８０の設置後において、各分割吊部材８１の突出部材８２を収容位置へ移動させることで、各分割吊部材８１が各種作業の障害となることがない。
【実施例３】
【００５３】
次に、図１０を参照して、実施例３に係る吊具付き印刷機９０について説明する。なお、この場合も、重複した記載を避けるべく異なる部分についてのみ説明する。実施例３の吊具付き印刷機９０の各分割吊部材９１は、水平方向に旋回可能な構成となっている。以下、各分割吊部材９１について、具体的に説明する。
【００５４】
各分割吊部材９１は、方形板状に形成されており、四角のうちの一角がＲ形状となっている。このＲ形状となった各分割吊部材９１の端部には貫通孔９３が形成されている。このとき、各分割吊部材９１の長手方向中央部には、鉛直方向に延びる固定軸９２が設けられており、この固定軸９２は、鉛直フレーム１０ａ，１０ｂの上面に軸着されている。そして、各分割吊部材９１は、固定軸９２に対し、水平方向に旋回自在に軸支されている。
【００５５】
そして、Ｒ形状となった各分割吊部材９１の端部が印刷機本体５の外側に臨む位置を突出位置とし、Ｒ形状となった各分割吊部材９１の端部が印刷機本体５の内側に臨む位置を収容位置として、各分割吊部材９１を旋回させている。なお、各分割吊部材９１は、突出位置または収容位置において、ボルトにより固定される。
【００５６】
この構成においても、吊具付き印刷機９０の搬送時において、各分割吊部材９１を突出位置へ移動させることで、吊具付き印刷機９０を好適に搬送することができ、吊具付き印刷機９０の設置後において、各分割吊部材９１を収容位置へ移動させることで、各分割吊部材９１が各種作業の障害となることがない。
【００５７】
なお、上記の実施例では、吊具付き印刷機として、商業用オフセット輪転印刷機を用いたが、これに限らず、他の印刷機に適用しても良い。
【産業上の利用可能性】
【００５８】
以上のように、本発明に係る吊具付き印刷機は、印刷機を搬送する場合に有用であり、特に、印刷機と吊具とを一体にする場合に適している。
【符号の説明】
【００５９】
１      吊具付き印刷機
５      印刷機本体
６      ベッド部
７      吊具
９      フレーム
１０ａ，１０ｂ  鉛直フレーム
１１    設置面
１２    分割吊部材
１４    第１貫通孔
１５    第２貫通孔
１７    固定穴
３０    吊具付き印刷機（変形例１）
３１    凹溝
４０    吊具付き印刷機（変形例２）
４１    アリ溝
４２    分割吊部材（変形例２）
５０    吊具付き印刷機（変形例３）
５１    化粧ピース
６０    吊具付き印刷機（変形例４）
６１    分割吊部材（変形例４）
６２    係止部
７０    吊具付き印刷機（変形例５）
７１    分割吊部材（変形例５）
７２    係止部
８０    吊具付き印刷機（実施例２）
８１    分割吊部材（実施例２）
８２    突出部材
８３    残存部材
８４    ヒンジ
８５    係止ピン
８６    貫通孔
９０    吊具付き印刷機（実施例３）
９１    分割吊部材（実施例３）
９２    固定軸
９３    貫通穴
【図１】
2010214637.tif 000003
【図２】
2010214637.tif 000004
【図３】
2010214637.tif 000005
【図４】
2010214637.tif 000006
【図５】
2010214637.tif 000007
【図６】
2010214637.tif 000008
【図７】
2010214637.tif 000009
【図８】
2010214637.tif 000010
【図９】
2010214637.tif 000011
【図１０】
2010214637.tif 000012
【図１１】
2010214637.tif 000013